(57)【要約】【課題】正の値のピーク値および負の値のピーク値と、それらに対応する成分値とを確実かつ容易に把握可能とする。【解決手段】測定対象成分における互いに相違する各成分値毎（周波数毎）の測定値（相対音圧レベル）におけるピーク値を測定結果として表示させる際に、ピーク値の絶対値に応じた長さの棒グラフＧ、および棒グラフＧに対応するピーク値の成分値（周波数）を示す周波数表示Ａを相互に関連付けて測定結果表示画面１０に表示させる測定結果表示制御装置であって、Ｎ個のピーク値のなかに正の値のピーク値および負の値のピーク値が存在するときに、正の値のピーク値に対応する棒グラフＧ１，Ｇ３，Ｇ４を測定結果表示画面内に規定した基準位置から第１の向き（右向き）で表示させると共に、負の値のピーク値に対応する棒グラフＧ２，Ｇ５，Ｇ６を基準位置から第１の向きとは逆向きの第２の向き（左向き）で表示させる。【選択図】図２
2016105045.tif 000002
【特許請求の範囲】
【請求項１】
測定対象成分における互いに相違する各成分値毎の測定値におけるピーク値を測定結果として表示させる際に、当該ピーク値の絶対値に応じた長さの棒グラフ、および当該棒グラフに対応する当該ピーク値の前記成分値を示す成分値表示を相互に関連付けて測定結果表示画面に表示させる処理部を備えた測定結果表示制御装置であって、
前記処理部は、Ｎ個（Ｎは、予め規定された２以上の自然数）の前記ピーク値のなかに正の値の当該ピーク値および負の値の当該ピーク値が存在するときに、当該正の値のピーク値に対応する前記棒グラフを前記測定結果表示画面内に規定した基準位置から第１の向きで表示させると共に、当該負の値のピーク値に対応する前記棒グラフを当該基準位置から当該第１の向きとは逆向きの第２の向きで表示させる測定結果表示制御装置。
【請求項２】
前記処理部は、前記Ｎ個のピーク値に対応するＮ個の前記棒グラフを前記第１の向きおよび前記第２の向きの双方に対して交差する第３の向きで前記成分値が小さい順および当該成分値が大きい順のいずれかの順で並べて表示させる請求項１記載の測定結果表示制御装置。
【請求項３】
前記処理部は、前記Ｎ個のピーク値に対応するＮ個の前記棒グラフを前記第１の向きおよび前記第２の向きの双方に対して交差する第３の向きで前記絶対値が大きい順および当該絶対値が小さい順のいずれかの順で並べて表示させる請求項１記載の測定結果表示制御装置。
【請求項４】
前記処理部は、前記正の値のピーク値に対応するＭ個（Ｍは、（Ｎ−１）以下の自然数）の前記棒グラフ、および前記負の値のピーク値に対応するＬ個（Ｌは、（Ｎ−Ｍ）の自然数）の前記棒グラフのいずれか一方を前記第１の向きおよび前記第２の向きの双方に対して交差する第３の向きで前記絶対値が大きい順および当該絶対値が小さい順のいずれかの順で並べて表示させると共に、当該いずれか一方の棒グラフに続いて当該Ｍ個の棒グラフおよび当該Ｌ個の棒グラフの他方を当該第３の向きで前記いずれかの順で並べて表示させる請求項１記載の測定結果表示制御装置。
【請求項５】
前記処理部は、前記正の値のピーク値に対応する前記成分値表示を対応する前記棒グラフと並べて前記基準位置よりも前記第２の向きの側に表示させると共に、前記負の値のピーク値に対応する前記成分値表示を対応する前記棒グラフと並べて前記基準位置よりも前記第１の向きの側に表示させる請求項１から４のいずれかに記載の測定結果表示制御装置。
【請求項６】
測定対象成分における互いに相違する各成分値毎の測定値におけるピーク値を測定結果として表示させる際に、当該ピーク値の絶対値に応じた長さの棒グラフ、および当該棒グラフに対応する当該ピーク値の前記成分値を示す成分値表示を相互に関連付けて測定結果表示画面に表示させる測定結果表示制御方法であって、
Ｎ個（Ｎは、予め規定された２以上の自然数）の前記ピーク値のなかに正の値の当該ピーク値および負の値の当該ピーク値が存在するときに、当該正の値のピーク値に対応する前記棒グラフを前記測定結果表示画面内に規定した基準位置から第１の向きで表示させると共に、当該負の値のピーク値に対応する前記棒グラフを当該基準位置から当該第１の向きとは逆向きの第２の向きで表示させる測定結果表示制御方法。
【請求項７】
前記Ｎ個のピーク値に対応するＮ個の前記棒グラフを前記第１の向きおよび前記第２の向きの双方に対して交差する第３の向きで前記成分値が小さい順および当該成分値が大きい順のいずれかの順で並べて表示させる請求項６記載の測定結果表示制御方法。
【請求項８】
前記Ｎ個のピーク値に対応するＮ個の前記棒グラフを前記第１の向きおよび前記第２の向きの双方に対して交差する第３の向きで前記絶対値が大きい順および当該絶対値が小さい順のいずれかの順で並べて表示させる請求項６記載の測定結果表示制御方法。
【請求項９】
前記正の値のピーク値に対応するＭ個（Ｍは、（Ｎ−１）以下の自然数）の前記棒グラフ、および前記負の値のピーク値に対応するＬ個（Ｌは、（Ｎ−Ｍ）の自然数）の前記棒グラフのいずれか一方を前記第１の向きおよび前記第２の向きの双方に対して交差する第３の向きで前記絶対値が大きい順および当該絶対値が小さい順のいずれかの順で並べて表示させると共に、当該いずれか一方の棒グラフに続いて当該Ｍ個の棒グラフおよび当該Ｌ個の棒グラフの他方を当該第３の向きで前記いずれかの順で並べて表示させる請求項６記載の測定結果表示制御方法。
【請求項１０】
前記正の値のピーク値に対応する前記成分値表示を対応する前記棒グラフと並べて前記基準位置よりも前記第２の向きの側に表示させると共に、前記負の値のピーク値に対応する前記成分値表示を対応する前記棒グラフと並べて前記基準位置よりも前記第１の向きの側に表示させる請求項６から９のいずれかに記載の測定結果表示制御方法。
【発明の詳細な説明】
【技術分野】
【０００１】
本発明は、測定データに記録されている各測定値のなかから特定した複数のピーク値を測定結果表示画面に測定結果として表示させる測定結果表示制御装置および測定結果表示制御方法に関するものである。
【背景技術】
【０００２】
例えば、下記の特許文献には、音声の音質を評価する音質評価装置の発明が開示されている。この音質評価装置による音質の評価に際しては、まず、マイクロホンによって音声を集音する。この際には、マイクロホンからアナログの電気信号が出力され、この電気信号がＡ／Ｄ変換器によってデジタル信号に変換されてデータ記憶器に保存される。次いで、データ記憶器に保存されているデジタル信号に基づき、ピーク検出部がピーク値を検出する。具体的には、周波数分析部がデータ記憶器に保存されているデジタル信号を対象とする周波数分析処理を実行し、音圧検出部が周波数分析部によって分析された各周波数毎の音圧（測定値）を検出し、かつピーク判定部が音圧検出部によって検出された各周波数毎の測定値（音圧）のなかからピーク値を検出する。
【０００３】
次いで、うるささ評価値演算部が「うるささ」の評価処理を実行する。この際に、評価値算出部は、ピーク検出部によって検出された音圧レベルのピーク値、およびパワースペクトル平均値算出部によって演算されたパワースペクトル平均値に基づき、予め規定された手順に従って「うるささ」の評価値を算出する。続いて、物理量表示部が、評価値算出部よって演算された評価値を表示部に表示させる。この際には、特許文献の図７に示すように、ピーク値を示す数値、パワー平均値（パワースペクトル平均値）を示す数値、およびうるささ評価値を示す数値が、ピーク検出部によって検出されたピーク値の数だけ並んで表示される。これにより、マイクロホンによって集音された音声の音質に関する評価が完了する。
【先行技術文献】
【特許文献】
【０００４】
【特許文献１】特開平１０−２６７７４２号公報（第４−６頁、第１−９図）
【発明の概要】
【発明が解決しようとする課題】
【０００５】
ところが、従来の音質評価装置には、以下の解決すべき問題点が存在する。すなわち、従来の音質評価装置では、音声の音質に関する評価結果として、ピーク値を示す数値、パワー平均値を示す数値、およびうるささ評価値を示す数値を表示画面内に並べて表示させる構成が採用されている。しかしながら、従来の音質評価装置では、検出されたピーク値に対応する周波数（測定対象成分の成分値）を特定可能な情報が上記の表示画面内に表示されないため、表示画面を見た利用者は、どのような音質の騒音が発生しているかを特定するのが困難となっている。このため、発生している騒音の音質を特定しようとした場合には、一例として、上記特許文献の図３に示すようなグラフ（横軸を周波数とし、縦軸を音圧レベルとしたグラフ）を表示させ、表示されたグラフを参照して、どのような周波数においてどのような音圧レベルの騒音が発生しているかを特定することとなる。
【０００６】
この場合、この種の評価装置による音質の評価時には、一例として、上記のようにマイクロホンによって集音した音声の音圧レベル（以下、「評価対象音圧レベル」ともいう）と、基準音声（例えば、基準とする騒音発生状態において集音した音声）の音圧レベル（以下、「基準音圧レベル」ともいう）との相違量に基づいて、発生している騒音の音質を評価することがある。この際には、一例として、横軸を周波数とし、基準音圧レベルに対する評価対象音圧レベルの相対値（以下、「相対音圧レベル」ともいう）を縦軸とするグラフを表示させることにより、表示されたグラフを参照して、基準音声よりも高い音圧レベルの音（相対音圧レベルが正の値の音）が発生している周波数、および基準音声よりも低い音圧レベルの音（相対音圧レベルが負の値の音）が発生している周波数をそれぞれ特定することが可能となる。
【０００７】
しかしながら、この種の装置に不慣れな利用者にとっては、正の値の相対音圧レベルおよび負の値の音圧レベルが混在しているグラフのなかから、相対音圧レベルの絶対値が大きい規定数のピーク値を特定すること自体が非常に困難となっている。一方、各周波数毎の相対音圧レベルを示すグラフに代えて、図６に示すうように、装置が特定した正の値のピーク値および負の値のピーク値を示す数値（同図における「相対音圧レベル（ピーク値）」）と、それらピーク値に対応する周波数を示す数値（同図における「ピーク周波数」）とを表画面内に並べて表示させることで、グラフを参照してピーク値を特定する作業を行うことなく、装置によって特定されたピーク値を把握することが可能となる。しかしながら、特定されるピーク値の数が多いときには、ピーク値を示す数値に「−」符号が付されているか否かによって、そのピーク値が正の値のピーク値および負の値のピーク値のいずれであるかを瞬時に判断するのが困難であるため、この種の装置に不慣れな利用者にとっては、どのような周波数においてどのような音圧レベルの騒音が発生しているかを把握するのが困難となっている。
【０００８】
なお、発明が解決しようとする課題についての理解を容易とするために、音質を評価する音質評価装置の例について説明したが、上記の例示のような問題点は、正の値の測定値および負の値の測定値のなかから特定された複数のピーク値を表示させる各種の測定結果表示制御装置においても同様に発生する。
【０００９】
本発明は、かかる解決すべき問題点に鑑みてなされたものであり、正の値のピーク値および負の値のピーク値と、それらに対応する成分値とを確実かつ容易に把握可能に表示し得る測定結果表示制御装置および測定結果表示制御方法を提供することを主目的とする。
【課題を解決するための手段】
【００１０】
上記目的を達成すべく請求項１記載の測定結果表示制御装置は、測定対象成分における互いに相違する各成分値毎の測定値におけるピーク値を測定結果として表示させる際に、当該ピーク値の絶対値に応じた長さの棒グラフ、および当該棒グラフに対応する当該ピーク値の前記成分値を示す成分値表示を相互に関連付けて測定結果表示画面に表示させる処理部を備えた測定結果表示制御装置であって、前記処理部は、Ｎ個（Ｎは、予め規定された２以上の自然数）の前記ピーク値のなかに正の値の当該ピーク値および負の値の当該ピーク値が存在するときに、当該正の値のピーク値に対応する前記棒グラフを前記測定結果表示画面内に規定した基準位置から第１の向きで表示させると共に、当該負の値のピーク値に対応する前記棒グラフを当該基準位置から当該第１の向きとは逆向きの第２の向きで表示させる。
【００１１】
また、請求項２記載の測定結果表示制御装置は、請求項１記載の測定結果表示制御装置において、前記処理部は、前記Ｎ個のピーク値に対応するＮ個の前記棒グラフを前記第１の向きおよび前記第２の向きの双方に対して交差する第３の向きで前記成分値が小さい順および当該成分値が大きい順のいずれかの順で並べて表示させる。
【００１２】
また、請求項３記載の測定結果表示制御装置は、請求項１記載の測定結果表示制御装置において、前記処理部は、前記Ｎ個のピーク値に対応するＮ個の前記棒グラフを前記第１の向きおよび前記第２の向きの双方に対して交差する第３の向きで前記絶対値が大きい順および当該絶対値が小さい順のいずれかの順で並べて表示させる。
【００１３】
また、請求項４記載の測定結果表示制御装置は、請求項１記載の測定結果表示制御装置において、前記処理部は、前記正の値のピーク値に対応するＭ個（Ｍは、（Ｎ−１）以下の自然数）の前記棒グラフ、および前記負の値のピーク値に対応するＬ個（Ｌは、（Ｎ−Ｍ）の自然数）の前記棒グラフのいずれか一方を前記第１の向きおよび前記第２の向きの双方に対して交差する第３の向きで前記絶対値が大きい順および当該絶対値が小さい順のいずれかの順で並べて表示させると共に、当該いずれか一方の棒グラフに続いて当該Ｍ個の棒グラフおよび当該Ｌ個の棒グラフの他方を当該第３の向きで前記いずれかの順で並べて表示させる。
【００１４】
さらに、請求項５記載の測定結果表示制御装置は、請求項１から４のいずれかに記載の測定結果表示制御装置において、前記処理部は、前記正の値のピーク値に対応する前記成分値表示を対応する前記棒グラフと並べて前記基準位置よりも前記第２の向きの側に表示させると共に、前記負の値のピーク値に対応する前記成分値表示を対応する前記棒グラフと並べて前記基準位置よりも前記第１の向きの側に表示させる。
【００１５】
また、請求項６記載の測定結果表示制御方法は、測定対象成分における互いに相違する各成分値毎の測定値におけるピーク値を測定結果として表示させる際に、当該ピーク値の絶対値に応じた長さの棒グラフ、および当該棒グラフに対応する当該ピーク値の前記成分値を示す成分値表示を相互に関連付けて測定結果表示画面に表示させる測定結果表示制御方法であって、Ｎ個（Ｎは、予め規定された２以上の自然数）の前記ピーク値のなかに正の値の当該ピーク値および負の値の当該ピーク値が存在するときに、当該正の値のピーク値に対応する前記棒グラフを前記測定結果表示画面内に規定した基準位置から第１の向きで表示させると共に、当該負の値のピーク値に対応する前記棒グラフを当該基準位置から当該第１の向きとは逆向きの第２の向きで表示させる。
【００１６】
また、請求項７記載の測定結果表示制御方法は、請求項６記載の測定結果表示制御方法において、前記Ｎ個のピーク値に対応するＮ個の前記棒グラフを前記第１の向きおよび前記第２の向きの双方に対して交差する第３の向きで前記成分値が小さい順および当該成分値が大きい順のいずれかの順で並べて表示させる。
【００１７】
また、請求項８記載の測定結果表示制御方法は、請求項６記載の測定結果表示制御方法において、前記Ｎ個のピーク値に対応するＮ個の前記棒グラフを前記第１の向きおよび前記第２の向きの双方に対して交差する第３の向きで前記絶対値が大きい順および当該絶対値が小さい順のいずれかの順で並べて表示させる。
【００１８】
また、請求項９記載の測定結果表示制御方法は、請求項６記載の測定結果表示制御方法において、前記正の値のピーク値に対応するＭ個（Ｍは、（Ｎ−１）以下の自然数）の前記棒グラフ、および前記負の値のピーク値に対応するＬ個（Ｌは、（Ｎ−Ｍ）の自然数）の前記棒グラフのいずれか一方を前記第１の向きおよび前記第２の向きの双方に対して交差する第３の向きで前記絶対値が大きい順および当該絶対値が小さい順のいずれかの順で並べて表示させると共に、当該いずれか一方の棒グラフに続いて当該Ｍ個の棒グラフおよび当該Ｌ個の棒グラフの他方を当該第３の向きで前記いずれかの順で並べて表示させる。
【００１９】
さらに、請求項１０記載の測定結果表示制御方法は、請求項６から９のいずれかに記載の測定結果表示制御方法において、前記正の値のピーク値に対応する前記成分値表示を対応する前記棒グラフと並べて前記基準位置よりも前記第２の向きの側に表示させると共に、前記負の値のピーク値に対応する前記成分値表示を対応する前記棒グラフと並べて前記基準位置よりも前記第１の向きの側に表示させる。
【発明の効果】
【００２０】
請求項１記載の測定結果表示制御装置、および請求項６記載の測定結果表示制御方法によれば、正の値のピーク値に対応する棒グラフを基準位置から第１の向きで表示させ、負の値のピーク値に対応する棒グラフを基準位置から第２の向きで表示させることにより、測定値と成分値との関係を示す折線グラフを表示させて利用者にＮ個のピーク値を特定させる構成・方法や、特定したピーク値と対応する成分値とを数値だけで表示させる構成・方法とは異なり、不慣れな利用者に対しても、特定されたＮ個のピーク値に応じて表示される棒グラフの長さに基づいてピーク値の絶対値の大きさを確実かつ容易に把握させることができるだけでなく、第１の向きで表示された棒グラフが正の値のピーク値を示し、第２の向きで表示された棒グラフが負の値のピーク値を示していることを確実かつ容易に把握させることができる。
【００２１】
請求項２記載の測定結果表示制御装置、および請求項７記載の測定結果表示制御方法によれば、成分値が小さい順および成分値が大きい順のいずれかの順でＮ個の棒グラフを第３の向きで並べて表示させることにより、第３の向きで並んで表示されている棒グラフにおいて、上位に表示されている棒グラフほど対応する成分値が小さい（または大きい）ピーク値を表す棒グラフであることを確実かつ容易に把握させることができる。
【００２２】
請求項３記載の測定結果表示制御装置、および請求項８記載の測定結果表示制御方法によれば、絶対値が大きい順および絶対値が小さい順のいずれかの順でＮ個の棒グラフを第３の向きで並べて表示させることにより、第３の向きで並んで表示されている棒グラフにおいて、上位に表示されている棒グラフほど対応する絶対値が大きい（または小さい）ピーク値を表す棒グラフであることを確実かつ容易に把握させることができる。
【００２３】
請求項４記載の測定結果表示制御装置、および請求項９記載の測定結果表示制御方法によれば、正の値のピーク値に対応するＭ個の棒グラフ、および負の値のピーク値に対応するＬ個の棒グラフのいずれか一方を絶対値が大きい順および絶対値が小さい順のいずれかの順で第３の向きで並べて表示させると共に、いずれか一方の棒グラフに続いてＭ個の棒グラフおよびＬ個の棒グラフの他方を上記のいずれかの順で第３の向きで並べて表示させることにより、正の値のピーク値を示す棒グラフ、および負の値のピーク値を示す棒グラフを確実かつ容易に特定させることができ、かつ第３の向きで並んで表示されている棒グラフにおいて、上位に表示されている棒グラフほど対応する絶対値が大きい（または小さい）ピーク値を表す棒グラフであることを確実かつ容易に把握させることができる。
【００２４】
請求項５記載の測定結果表示制御装置、および請求項１０記載の測定結果表示制御方法によれば、正の値のピーク値に対応する成分値表示を対応する棒グラフと並べて基準位置よりも第２の向きの側に表示させると共に、負の値のピーク値に対応する成分値表示を対応する棒グラフと並べて基準位置よりも第１の向きの側に表示させることにより、棒グラフおよび成分値表示が重なって表示されて棒グラフおよび成分値表示の視認が困難となる事態を招くことなく、棒グラフによって示されたピーク値がいずれの成分値のピーク値を表しているかを確実かつ容易に把握させることができる。
【図面の簡単な説明】
【００２５】
【図１】測定装置１の構成を示す構成図である。
【図２】表示部４に表示される測定結果表示画面１０の一例を示す表示画面図である。
【図３】表示部４に表示される測定結果表示画面１０の他の一例を示す表示画面図である。
【図４】表示部４に表示される測定結果表示画面１０のさらに他の一例を示す表示画面図である。
【図５】測定処理によって取得される測定データＤ１の一例について説明するための説明図である。
【図６】ピーク値を示す数値と、対応する周波数を示す数値とを測定結果として表示させた状態の表示画面図である。
【発明を実施するための形態】
【００２６】
以下、測定結果表示制御装置および測定結果表示制御方法の実施の形態について、添付図面を参照して説明する。
【００２７】
図１に示す測定装置１は、「測定結果表示制御装置」の構成を備えた装置の一例であって、評価対象のマイクロホン（図示せず）を用いて基準音声（ホワイトノイズ等）を集音した測定データＤ０に基づいて「測定データ」の一例である測定データＤ１を生成し、生成した測定データＤ１に基づき、マイクロホンの特性を評価可能な表示用データＤ２（「表示用データ」の一例）を生成して測定結果として表示させる処理を実行可能に構成されている。この測定装置１は、測定部２、操作部３、表示部４、制御部５および記憶部６を備えて構成されている。
【００２８】
測定部２は、制御部５の制御に従い、評価対象のマイクロホンによって集音した音声のアナログ信号をデジタル信号に変換して測定データＤ０を生成する測定処理を実行する。この場合、本例の測定装置１では、測定部２が、上記の測定処理において、マイクロホンによって集音された音声のうち、周波数：１０００Ｈｚ〜３０００Ｈｚの範囲内の各周波数毎の音声の音圧レベルを記録した測定データＤ０を生成する構成が採用されている。
【００２９】
操作部３は、測定装置１の動作条件の設定操作や、測定部２による上記の測定処理を開始／停止させる操作などが可能な複数の操作スイッチを備え（図示せず）、スイッチ操作に応じた操作信号を制御部５に出力する。表示部４は、制御部５の制御に従い、動作条件の設定画面（図示せず）や、測定結果（制御部５によって特定されるピーク値）を示す測定結果表示画面１０（図２〜４参照）などを表示する。
【００３０】
制御部５は、測定装置１を総括的に制御する。具体的には、制御部５は、操作部３からの操作信号に応じて測定部２を制御して上記の測定処理を実行させると共に、測定部２から出力される測定データＤ０を記憶部６に記憶させる。また、制御部５は、測定部２から出力された測定データＤ０と、基準値データＤｘ（一例として、基準のマイクロホンを介して基準音声を集音することで予め生成された測定データＤ０）とに基づき、「基準値データＤｘに記録されている各周波数毎の音圧レベル（基準音圧レベル）」に対する「測定データＤ０に記録されている各周波数毎の音圧レベル（評価対象のマイクロホンの出力信号に基づいて特定される音圧レベル：評価対象音圧レベル）」の相対値（相対音圧レベル）を各周波数毎に演算し、演算結果を測定データＤ１として記録して記憶部６に記憶させる。
【００３１】
この場合、上記の測定データＤ１は、「測定データ」の一例であって、基準値データＤｘに記録されている基準音圧レベルを「０ｄＢ」とし、基準値データＤｘに記録されている基準音圧レベルよりも大きな値を正の値とし、かつ基準値データＤｘに記録されている基準音圧レベルよりも小さな値を負の値として、周波数：１０００Ｈｚ〜３０００Ｈｚの範囲内（「測定対象成分」が音声周波数で、「成分値」が１０００Ｈｚ〜３０００Ｈｚの例）の各周波数毎の相対音圧レベル（「互いに相違する各成分値毎の測定値」の一例）が記録されている。
【００３２】
また、制御部５は、「処理部」に相当し、記憶部６に記憶させた測定データＤ１に記録されている各測定値のなかから測定値の絶対値が大きいＮａ個以上Ｎｂ個以下のＮ個の範囲内のピーク値（Ｎａは、自然数で、Ｎｂは、Ｎａよりも大きい自然数：一例として、Ｎａ＝１個、Ｎｂ＝６個）を特定する。なお、「Ｎａ個以上Ｎｂ個以下のＮ個の範囲内のピーク値を特定する」との処理は、「ピーク値」として特定し得る測定値（他の測定値よりも絶対値が十分に大きい測定値）がＮｂ個以上存在するときには、Ｎ＝Ｎｂ個のピーク値を特定し、「ピーク値」として特定し得る測定値の数がＮｂ個未満のときには、その数に応じてＮ＝Ｎａ以上（Ｎｂ−１）個以下のピーク値を特定することを意味する。
【００３３】
さらに、制御部５は、図２〜４に示すように、特定したピーク値の絶対値に応じた長さの棒グラフＧ１〜Ｇ６（以下、区別しないときには、「棒グラフＧ」ともいう）と、各棒グラフＧに対応するピーク値の周波数を示す周波数表示Ａ１〜Ａ６（以下、区別しないときには、「周波数表示Ａ」ともいう）と、特定したピーク値（測定値）を示すピーク値表示Ｂ１〜Ｂ６（以下、区別しないときには、「ピーク値表示Ｂ」ともいう）とを相互に関連付けて表示させる表示用データＤ２を生成して表示部４に出力することにより、測定結果表示画面１０を表示部４に表示させる。なお、測定結果表示画面１０の表示態様については、後に詳細に説明する。記憶部６は、基準値データＤｘおよび測定データＤ０，Ｄ１や、制御部５の動作プログラムなどを記憶する。
【００３４】
この測定装置１による測定結果表示画面１０の表示処理に際しては、まず、評価対象のマイクロホンを測定部２に接続して基準音声を集音させる。具体的には、操作部３の測定開始スイッチが操作されたときに、制御部５が、測定部２を制御して測定処理を開始させる。また、測定部２は、マイクロホンによって集音した音声のデジタル信号に基づき、予め規定された周期で各周波数毎の音声の音圧レベルを測定して測定データＤ０を生成し、生成した測定データＤ０を制御部５に出力する。また、制御部５は、測定部２から出力された測定データＤ０、および記憶部６に予め記憶された基準値データＤｘに基づき、相対音圧レベルを示す測定データＤ１を生成して記憶部６に記憶させる。この際には、一例として、各周波数毎の相対音圧レベルが図５に折線グラフＧ０で示すような値の測定データＤ１が生成される。
【００３５】
また、制御部５は、生成した測定データＤ１に基づき、１個以上６個以下の範囲内のピーク値を特定する。この場合、図３に示す例とは相違するが、予め規定されたレベル（一例として、±１．０ｄＢ）を超える測定値（相対音圧レベル）が５個以下のときには、制御部５は、規定レベルを超えている測定値の数に応じて１個から５個のピーク値を特定する。一方、図５に示す例のように、各周波数毎の測定値のなかに規定レベルを超える測定値（相対音圧レベル）が６個以上存在するときには、制御部５は、測定値の絶対値が大きい６個のピーク値を特定する。この際には、ピーク値Ｐ１〜Ｐ６（以下、区別しないときには、単に「ピーク値Ｐ」ともいう。なお、「ピーク値Ｐ」の後ろの数値は、特定された順序を示す。すなわち、この数値が小さいピーク値Ｐほど測定値の絶対値が大きい値であることを示す。）の６個が特定される。
【００３６】
次いで、制御部５は、特定した各ピーク値Ｐを測定結果表示画面１０に表示させるための表示用データＤ２を生成して表示部４に出力することにより、図２に示すように、測定結果表示画面１０を表示部４に表示させる。この場合、本例の測定装置１では、測定データＤ１に基づいて特定したＮ個のピーク値Ｐのなかに正の値のピーク値Ｐおよび負の値のピーク値Ｐが存在するときに、正の値のピーク値Ｐに対応する棒グラフＧを測定結果表示画面１０に規定した「基準位置」（図２〜４に示す例では、左右方向中央部の「相対音圧レベル＝０．０ｄＢ」の部位）から右向き（「第１の向き」の一例）で表示させる（測定値の絶対値が大きい棒グラフＧほど右側に突出するように表示させる）と共に、負の値のピーク値Ｐに対応する棒グラフＧを「基準位置」から左向き（「第１の向きとは逆向きの第２の向き」の一例）で表示させる（測定値の絶対値が大きい棒グラフＧほど左側に突出するように表示させる）。
【００３７】
また、本例の測定装置１では、制御部５によるＮ個のピーク値Ｐの特定が完了した後に測定結果表示画面１０を表示部４に表示させるときに、一例として、Ｎ個のピーク値Ｐに対応するＮ個の棒グラフＧを、対応する周波数の値が小さい順（周波数が低い順）で下向き（「第１の向きおよび第２の向きの双方に対して交差する第３の向き」の一例）で並べて表示させる。つまり、周波数が低いピーク値Ｐほど上側に表示される。さらに、本例の測定装置１では、正の値のピーク値Ｐに対応する周波数表示Ａ（「成分値表示」の一例）を対応する棒グラフＧと並べて「基準位置」よりも左側（「第２の向きの側」の一例）に表示させると共に、負の値のピーク値Ｐに対応する周波数表示Ａを対応する棒グラフＧと並べて「基準位置」よりも右側（「第１の向きの側」の一例）に表示させる。さらに、本例の測定装置１では、正の値のピーク値Ｐに対応するピーク値表示Ｂを対応する棒グラフＧの右側に表示させると共に、負の値のピーク値Ｐに対応するピーク値表示Ｂを対応する棒グラフＧの左側に表示させる。
【００３８】
具体的には、図５に示す測定データＤ１の例において、ピーク値Ｐ１〜Ｐ６の６個が特定されている本例では、図２に示すように、制御部５は、対応する周波数の値が小さい順で、周波数：１，３４８Ｈｚのピーク値Ｐ１（２．７４ｄＢ）を表す棒グラフＧ１、周波数：１，４７５Ｈｚのピーク値Ｐ５（−１．６８ｄＢ）を表す棒グラフＧ５、周波数：１，９０４Ｈｚのピーク値Ｐ６（−１．４１ｄＢ）を表す棒グラフＧ６、周波数：２，１９２Ｈｚのピーク値Ｐ３（２．２３ｄＢ）を表す棒グラフＧ３、周波数：２，５１１Ｈｚのピーク値Ｐ４（１．８５ｄＢ）を表す棒グラフＧ４、および周波数：２，７５３Ｈｚのピーク値Ｐ２（−２．４７ｄＢ）を表す棒グラフＧ２を下向きで並べて表示させる。
【００３９】
この際に、対応するピーク値Ｐが正の値の棒グラフＧ１，Ｇ３，Ｇ４については、「基準位置」である「０．０ｄＢ」の位置から右向きで表示させると共に、対応する周波数表示Ａ１，Ａ３，Ａ４を棒グラフＧ１，Ｇ３，Ｇ４と並べて「基準位置」の左側に表示させ、かつピーク値表示Ｂ１，Ｂ３，Ｂ４を棒グラフＧ１，Ｇ３，Ｇ４の右側に表示させる。また、対応するピーク値Ｐが負の値の棒グラフＧ５，Ｇ６，Ｇ２については、「基準位置」である「０．０ｄＢ」の位置から左向きで表示させると共に、対応する周波数表示Ａ５，Ａ６，Ａ２を棒グラフＧ５，Ｇ６，Ｇ２と並べて「基準位置」の右側に表示させ、かつピーク値表示Ｂ５，Ｂ６，Ｂ２を棒グラフＧ５，Ｇ６，Ｇ２の左側に表示させる。
【００４０】
これにより、この測定結果表示画面１０を見た利用者は、各棒グラフＧ１〜Ｇ６の長さの相違により、各棒グラフＧに対応するピーク値Ｐの絶対値の大きさを直感的に認識するだけでなく、測定結果表示画面１０の上方に表示されている棒グラフＧほど、対応する周波数の値が小さいピーク値Ｐを表していることを直感的に認識すると共に、測定結果表示画面１０の左右方向の中央部（基準位置）から右向きで表示されている棒グラフＧ１，Ｇ３，Ｇ４が正の値のピーク値を示し、かつ測定結果表示画面１０の左右方向の中央部（基準位置）から左向きで表示されている棒グラフＧ５，Ｇ６，Ｇ２が負の値のピーク値を示していることを直感的に認識する。
【００４１】
一方、本例の測定装置１では、各ピーク値Ｐに対応する棒グラフＧを表示するための測定結果表示画面１０として、図２に示す表示態様だけでなく、利用者の選択操作に従い、図３に示す測定結果表示画面１０や、図４に示す測定結果表示画面１０などの表示態様で各棒グラフＧを表示させることができるように構成されている。例えば、図２に示す測定結果表示画面１０や、後述する図４に示す測定結果表示画面１０を表示部４に表示させている状態において、切替えボタン１１ａが選択操作されたときには、図３に示すように、Ｎ個のピーク値Ｐに対応するＮ個の棒グラフＧを、対応するピーク値Ｐの絶対値が大きい順で下向きで並べて表示させる。
【００４２】
具体的には、図５に示す測定データＤ１の例において、ピーク値Ｐ１〜Ｐ６の６個が特定されている本例では、図３に示すように、制御部５は、対応するピーク値Ｐの絶対値が大きい順で各棒グラフＧ１〜Ｇ６を下向きで並べて表示させる。また、この測定結果表示画面１０の表示態様においても、対応するピーク値Ｐが正の値の棒グラフＧ１，Ｇ３，Ｇ４については、「基準位置」である「０．０ｄＢ」の位置から右向きで表示させ、対応するピーク値Ｐが負の値の棒グラフＧ２，Ｇ５，Ｇ６については、「基準位置」である「０．０ｄＢ」の位置から左向きで表示させる。なお、同図に示す測定結果表示画面１０、および図４を参照しつつ後に説明する測定結果表示画面１０において、各ピーク値Ｐに対応する周波数表示Ａやピーク値表示Ｂの表示位置については、図２に示す測定結果表示画面１０の例と同様のため、同一の符号を伏して重複する説明を省略する。
【００４３】
これにより、この測定結果表示画面１０を見た利用者は、各棒グラフＧ１〜Ｇ６の長さの相違により、各棒グラフＧに対応するピーク値Ｐの絶対値の大きさを直感的に認識するだけでなく、測定結果表示画面１０の上方に表示されている棒グラフＧほど、対応するピーク値Ｐの絶対値が大きいことを直感的に認識すると共に、測定結果表示画面１０の左右方向の中央部（基準位置）から右向きで表示されている棒グラフＧ１，Ｇ３，Ｇ４が正の値のピーク値を示し、かつ測定結果表示画面１０の左右方向の中央部（基準位置）から左向きで表示されている棒グラフＧ５，Ｇ６，Ｇ２が負の値のピーク値を示していることを直感的に認識する。
【００４４】
また、例えば、図２に示す測定結果表示画面１０、および図３に示す測定結果表示画面１０のいずれかを表示部４に表示させている状態において、切替えボタン１１ｂが選択操作されたときには、図４に示すように、正の値のピーク値Ｐに対応するＭ個の棒グラフＧ、および負の値のピーク値Ｐに対応するＬ個の棒グラフＧのいずれか予め規定された一方（一例として、正の値のピーク値Ｐに対応するＭ個の棒グラフＧ）をピーク値Ｐの絶対値が大きい順で下向きで並べて表示させると共に、Ｍ個の棒グラフＧおよびＬ個の棒グラフＧのいずれか一方（この例では、Ｍ個の棒グラフＧ）に続いてＭ個の棒グラフＧおよびＬ個の棒グラフＧの他方（この例では、Ｌ個の棒グラフＧ）をピーク値Ｐの絶対値が大きい順で下向きで並べて表示させる。
【００４５】
具体的には、図５に示す測定データＤ１の例において、ピーク値Ｐ１〜Ｐ６の６個が特定されている本例では、図４に示すように、制御部５は、対応するピーク値Ｐが正の値のＭ＝３個の棒グラフＧ１，Ｇ３，Ｇ４をピーク値Ｐの絶対値が大きい順（この例では、棒グラフＧ１，Ｇ３，Ｇ４の順）で下向きで並べて表示させると共に、対応するピーク値Ｐが負の値のＬ＝３個の棒グラフＧ２，Ｇ５，Ｇ６をピーク値Ｐの絶対値が大きい順（この例では、棒グラフＧ２，Ｇ５，Ｇ６の順）で、棒グラフＧ１，Ｇ３，Ｇ４に続いて下向きで並べて表示させる。
【００４６】
これにより、この測定結果表示画面１０を見た利用者は、各棒グラフＧ１〜Ｇ６の長さの相違により、各棒グラフＧに対応するピーク値Ｐの絶対値の大きさを直感的に認識するだけでなく、測定結果表示画面１０の上方に表示されている棒グラフＧ１，Ｇ３，Ｇ４が正の値のピーク値Ｐを示し、かつ測定結果表示画面１０の下方に表示されている棒グラフＧ２，Ｇ５，Ｇ６が負の値のピーク値Ｐを示していることを直感的に認識すると共に、測定結果表示画面１０の左右方向の中央部（基準位置）から右向きで表示されている棒グラフＧ１，Ｇ３，Ｇ４が正の値のピーク値を示し、かつ測定結果表示画面１０の左右方向の中央部（基準位置）から左向きで表示されている棒グラフＧ２，Ｇ５，Ｇ６が負の値のピーク値を示していることを直感的に認識する。
【００４７】
また、図３に示す測定結果表示画面１０、および図４に示す測定結果表示画面１０のいずれかを表示部４に表示させている状態において、切替えボタン１１ｃが選択操作されたときには、前述した図２に示す測定結果表示画面１０が表示部４に表示される。このように、本例の測定装置１では、制御部５が利用者による選択操作に応じて、図２〜４の各測定結果表示画面１０のいずれかの表示態様で各棒グラフＧ、各周波数表示Ａおよび各ピーク値表示Ｂを表示させる表示用データＤ２を生成し、生成した表示用データＤ２に基づいて、利用者が所望する表示態様で表示部４に測定結果を表示させる。これにより、測定結果表示画面１０を見た利用者によって評価対象のマイクロホンの特性が評価される。
【００４８】
このように、この測定装置１、および測定装置１による測定結果表示制御方法によれば、正の値のピーク値に対応する棒グラフＧを「基準位置」から「第１の向き（本例では、右向き）」で表示させ、負の値のピーク値に対応する棒グラフＧを「基準位置」から「第２の向き（本例では、左向き）」で表示させて測定結果表示画面１０に表示させることにより、測定データＤ１に基づいて特定される相対音圧レベルと周波数との関係を示す折線グラフＧ０を表示させて利用者にＮ個のピーク値Ｐを特定させる構成・方法や、特定したピーク値Ｐと対応する周波数とを数値だけで表示させる構成・方法とは異なり、不慣れな利用者に対しても、特定されたＮ個のピーク値Ｐに応じて表示される棒グラフＧの長さに基づいてピーク値Ｐの絶対値の大きさを確実かつ容易に把握させることができるだけでなく、「第１の向き（右向き）」で表示された棒グラフＧが正の値のピーク値Ｐを示し、「第２の向き（左向き）」で表示された棒グラフＧが負の値のピーク値Ｐを示していることを確実かつ容易に把握させることができる。
【００４９】
また、この測定装置１、および測定装置１による測定結果表示制御方法によれば、「成分値」が小さい順および「成分値」が大きい順のいずれかの順（本例では、「成分値」としての周波数の値が小さい順）でＮ個の棒グラフＧを「第３の向き（本例では、下向き）」に並べて測定結果表示画面１０に表示させることにより、「第３の向き（下向き）」で並んで表示されている棒グラフＧにおいて、上位に表示されている棒グラフＧほど対応する「成分値（周波数の値）」が小さいピーク値Ｐを表す棒グラフＧであることを確実かつ容易に把握させることができる。
【００５０】
また、この測定装置１、および測定装置１による測定結果表示制御方法によれば、絶対値が大きい順および絶対値が小さい順のいずれかの順（本例では、「絶対値」が大きい順）でＮ個の棒グラフＧを「第３の向き（本例では、下向き）」に並べて測定結果表示画面１０に表示させることにより、「第３の向き（下向き）」で並んで表示されている棒グラフＧにおいて、上位に表示されている棒グラフＧほど対応する「絶対値」が大きいピーク値Ｐを表す棒グラフＧであることを確実かつ容易に把握させることができる。
【００５１】
また、この測定装置１、および測定装置１による測定結果表示制御方法では、正の値のピーク値に対応するＭ個の棒グラフＧ、および負の値のピーク値に対応するＬ個の棒グラフＧのいずれか一方（本例では、正の値のピーク値に対応するＭ個の棒グラフＧ）を絶対値が大きい順および絶対値が小さい順のいずれかの順（本例では、絶対値が大きい順）で「第３の向き（本例では、下向き）」に並べて表示させると共に、それらに続いて、Ｍ個の棒グラフＧおよびＬ個の棒グラフＧの他方（本例では、負の値のピーク値に対応するＬ個の棒グラフＧ）を上記のいずれかの順（絶対値が大きい順）で「第３の向き（下向き）」に並べて測定結果表示画面１０に表示させる。
【００５２】
したがって、この測定装置１、および測定装置１による測定結果表示制御方法によれば、正の値のピーク値Ｐを示す棒グラフＧ、および負の値のピーク値Ｐを示す棒グラフＧを確実かつ容易に特定させることができ、かつ「第３の向き（下向き）」で並んで表示されている棒グラフＧにおいて、上位に表示されている棒グラフＧほど対応する「絶対値」が大きいピーク値Ｐを表す棒グラフＧであることを確実かつ容易に把握させることができる。
【００５３】
さらに、この測定装置１、および測定装置１による測定結果表示制御方法によれば、正の値のピーク値に対応する周波数表示Ａを対応する棒グラフＧと並べて「基準位置」よりも第２の向きの側（本例では、左側）に表示させると共に、負の値のピーク値に対応する周波数表示Ａを対応する棒グラフＧと並べて「基準位置」よりも第１の向きの側（本例では、右側）に表示させることにより、棒グラフＧおよび周波数表示Ａが重なって表示されて棒グラフＧおよび周波数表示Ａの視認が困難となる事態を招くことなく、棒グラフＧによって示されたピーク値Ｐがいずれの「成分値（周波数）」のピーク値Ｐを表しているかを確実かつ容易に把握させることができる。
【００５４】
なお、「測定結果表示制御装置」の構成、および「測定結果表示制御方法」の具体的な処理手順については、上記の測定装置１の構成およびその処理手順の例に限定されない。例えば、「第１の向き」を右向きとし、かつ「第２の向き」を左向きとして各棒グラフＧを表示させる例について説明したが、このような構成・方法に代えて、「第１の向き」を左向きとし、かつ「第２の向き」を右向きとしたり、「第１の向き」を上向きとし、かつ「第２の向き」を下向きとしたり、「第１の向き」を下向きとし、かつ「第２の向き」を上向きとしたりして各棒グラフＧを表示させる構成・方法を採用することができる。
【００５５】
この場合、「第１の向き」を上向きとし、かつ「第２の向き」を下向きとしたり、「第１の向き」を下向きとし、かつ「第２の向き」を上向きとしたりしたときに、「第３の向き」については、「左向き」および「右向き」のいずれかとすることができる。また、「第１の向き」を右向きとし、かつ「第２の向き」を左向きとしたり、「第１の向き」を左向きとし、かつ「第２の向き」を右向きとしたりしたときにも、「第３の向き」については、「下向き」だけでなく、「上向き」とすることができる。さらに、「第１の向き」、「第２の向き」および「第３の向き」については、上記の例示のように、「右向き」、「左向き」、「下向き」および「上向き」だけでなく、「右上向き」、「左上向き」、「右下向き」および「左下向き」のような「斜めの向き」とすることもできる。
【００５６】
また、対応する周波数の値が小さい順（周波数が低い順）で各棒グラフＧを並べて表示させる例（図２の例）に代えて、対応する「成分値」が大きい順で各「棒グラフ」を並べて表示させる構成・方法を採用することもできる。さらに、対応するピーク値Ｐの絶対値が大きい順で各棒グラフＧを並べて表示させる例（図３，４の例）に代えて、対応するピーク値Ｐの絶対値が小さい順で各棒グラフＧを並べて表示させる構成・方法を採用することもできる。また、周波数表示Ａ（成分値表示）やピーク値表示Ｂの表示位置については、上記の例示に限定されず、棒グラフＧとの対応関係が明確な任意の位置に表示させることができる。
【００５７】
さらに、「測定データ」の一例である測定データＤ１を生成する構成要素（本例では、制御部５）、測定データＤ１を生成するための測定データＤ０を出力する構成要素（本例では、測定部２）、および測定データＤ１に基づいてピーク値Ｐを特定する構成要素（本例では、制御部５）を一体的に備えて構成した測定装置１を例に挙げて説明したが、「測定結果表示制御装置」の構成は、これに限定されず、「測定データ」の生成処理や「測定データ」に基づいて「ピーク値」を特定する処理については外部装置において実行する構成、すなわち、「測定結果表示制御装置」においては、外部装置によって特定された「ピーク値」に基づいて表示用データＤ２（「測定結果」を表示させるためのデータ）を生成して出力する処理を実行する構成を採用することもできる。また、生成した表示用データＤ２を表示部４に出力して測定結果表示画面１０を表示させる例について説明したが、外部装置としての表示装置に表示用データＤ２を出力することで測定結果表示画面１０を表示させる構成を採用することもできる。
【００５８】
加えて、「測定対象成分（成分値）」としての各周波数毎に「測定値」としての音声の相対音圧レベルを記録した測定データＤ１を処理することで評価対象のマイクロホンの特性を評価可能な測定結果表示画面１０を表示させるための表示用データＤ２を生成する構成・方法を例に挙げて説明したが、「測定結果表示制御装置」および「測定結果表示制御方法」によって処理する「測定データ」はこれに限定されず、例えば、測定対象信号に含まれるノイズの周波数毎の電流値または電圧値（「測定値」の他の一例）を記録した「測定データ（ノイズ成分を分析するための測定データ）」や、電気回路に対してインパルス状の電気信号を入力したときの信号入力時点からの経過時間（「測定対象成分」の他の一例）毎の電圧値または電流値（「測定値」の一例）の変化を記録した「測定データ（過渡応答分析用の測定データ）」などの各種の「測定データ」を対象として、上記の測定装置１による各処理と同様の処理を実行する構成・方法を採用することができる。
【００５９】
また、相対音圧レベルを例に挙げて、０ｄＢ未満の値を「負の値」とし、０ｄＢ以上の値を「正の値」として説明したが、これに限らず、絶対的に正の値を「正の値」とし、絶対的に負の値を「負の値」とすることもできる。
【符号の説明】
【００６０】
１  測定装置
２  測定部
４  表示部
５  制御部
６  記憶部
１０  測定結果表示画面
１１ａ〜１１ｃ  切替えボタン
Ａ１〜Ａ６  周波数表示
Ｂ１〜Ｂ６  ピーク値表示
Ｄ０，Ｄ１  測定データ
Ｄ２  表示用データ
Ｄｘ  基準値データ
Ｇ１〜Ｇ６  棒グラフ
Ｐ１〜Ｐ６  ピーク値
【図１】
2016105045.tif 000003
【図２】
2016105045.tif 000004
【図３】
2016105045.tif 000005
【図４】
2016105045.tif 000006
【図５】
2016105045.tif 000007
【図６】
2016105045.tif 000008